(57)【要約】【課題】本発明は、携帯端末装置の機能のＯＮ／ＯＦＦ又は設定を少ない動作で変更する携帯端末装置、携帯端末装置の機能設定方法及び携帯端末装置の機能設定プログラムの提供を目的とする。【解決手段】本願発明に係る携帯端末装置１０１は、予め定められた機能が割り当てられた機能ボタン３１を表示する表示部３と、機能ボタン３１が選択された状態で一定時間以上の時間が経過すると、機能ボタン３１に割り当てられている機能の実行を行う制御部４と、を備える。機能ボタン３１を選択すれば、機能ボタン３１に割り当てられている機能を自動的に実行することができる。このため、携帯端末装置１０１は、携帯端末装置の機能のＯＮ／ＯＦＦ又は設定を少ない動作で変更することができる。【選択図】図１
2011119935.tif 000002
【特許請求の範囲】
【請求項１】
予め定められた機能が割り当てられた機能ボタンを表示する表示部と、
前記機能ボタンが選択された状態で一定時間以上の時間が経過すると、前記機能ボタンに割り当てられている機能の実行を行う制御部と、を備える携帯端末装置。
【請求項２】
前記制御部は、
前記機能ボタンを前記表示部に表示する機能ボタン表示命令がショートカット機能を用いて出力されたか否かを判定し、
ショートカット機能を用いて出力された場合は、前記機能ボタンが選択された状態で一定時間以上の時間が経過すると、前記機能ボタンに割り当てられている機能の実行を行い、
ショートカット機能を用いずに出力された場合は、前記機能ボタンが選択された状態で一定時間以上の時間が経過しても、前記機能ボタンに割り当てられている機能の実行を行わない
請求項１に記載の携帯端末装置。
【請求項３】
前記表示部は、前記機能ボタン表示命令の出力機能が割り当てられた表示用アイコンをデスクトップ画面に表示し、
前記制御部は、
前記表示用アイコンがクリックされると前記機能ボタンを前記表示部に表示し、
前記表示用アイコンがクリックされたことをもって、前記機能ボタン表示命令がショートカット機能を用いて出力されたと判定する請求項２に記載の携帯端末装置。
【請求項４】
前記機能ボタン表示命令の出力機能が割り当てられた表示用キーを備え、
前記制御部は、
前記表示用キーが押下されると前記機能ボタンを前記表示部に表示し、
前記表示用キーが押下されたことをもって、前記機能ボタン表示命令がショートカット機能を用いて出力されたと判定する請求項２又は３に記載の携帯端末装置。
【請求項５】
前記機能ボタンは、予め定められた切り替えキーと関連付けられており、
前記制御部は、前記切り替えキーが押下される度に、前記機能ボタンに割り当てられている機能を変化させる請求項１から４のいずれかに記載の携帯端末装置。
【請求項６】
前記機能ボタンは、予め定められた確定キーと関連付けられており、
前記制御部は、前記確定キーが一定時間以上の間継続して押下されると、前記機能ボタンに割り当てられている機能の実行を行う請求項１から５のいずれかに記載の携帯端末装置。
【請求項７】
前記機能ボタンに割り当てられている機能は、前記表示部の覗き見防止機能のＯＮ又はＯＦＦである請求項１から６のいずれかに記載の携帯端末装置。
【請求項８】
前記機能ボタンに割り当てられている機能は、マナーモード機能のＯＮ又はＯＦＦである請求項１から７のいずれかに記載の携帯端末装置。
【請求項９】
前記機能ボタンに割り当てられている機能は、前記表示部のバックライトの輝度である請求項１から８のいずれかに記載の携帯端末装置。
【請求項１０】
予め定められた機能が割り当てられた機能ボタンを表示する表示手順と、
前記機能ボタンが選択された状態で一定時間以上の時間が経過すると、前記機能ボタンに割り当てられている機能の実行を行う機能実行手順と、
を順に有する携帯端末装置の機能設定方法。
【請求項１１】
前記機能実行手順において、
前記機能ボタンを前記表示部に表示する機能ボタン表示命令がショートカット機能を用いて出力されたか否かを判定し、
ショートカット機能を用いて出力された場合は、前記機能ボタンが選択された状態で一定時間以上の時間が経過すると、前記機能ボタンに割り当てられている機能の実行を行い、
ショートカット機能を用いずに出力された場合は、前記機能ボタンが選択された状態で一定時間以上の時間が経過しても、前記機能ボタンに割り当てられている機能の実行を行わない
請求項１０に記載の携帯端末装置の機能設定方法。
【請求項１２】
前記表示手順において、デスクトップ画面に表示されかつ前記機能ボタン表示命令の出力機能が割り当てられた表示用アイコンがクリックされると前記機能ボタンを前記表示部に表示し、
前記機能実行手順において、前記表示用アイコンがクリックされたことをもって、前記機能ボタン表示命令がショートカット機能を用いて出力されたと判定する請求項１１に記載の携帯端末装置の機能設定方法。
【請求項１３】
前記表示手順において、前記機能ボタン表示命令の出力機能が割り当てられた表示用キーが押下されると前記機能ボタンを前記表示部に表示し、
前記機能実行手順において、前記表示用キーが押下されたことをもって、前記機能ボタン表示命令がショートカット機能を用いて出力されたと判定する請求項１１又は１２に記載の携帯端末装置の機能設定方法。
【請求項１４】
前記機能実行手順において、前記機能ボタンに予め関連付けられた切り替えキーが押下される度に、前記機能ボタンに割り当てられている機能を変化させる請求項１０から１３のいずれかに記載の携帯端末装置の機能設定方法。
【請求項１５】
前記機能実行手順において、前記機能ボタンに予め関連付けられた確定キーが一定時間以上の間継続して押下されると、前記機能ボタンに割り当てられている機能の実行を行う請求項１０から１４のいずれかに記載の携帯端末装置の機能設定方法。
【請求項１６】
前記機能ボタンに割り当てられている機能は、前記表示部の覗き見防止機能のＯＮ又はＯＦＦである請求項１０から１５のいずれかに記載の携帯端末装置の機能設定方法。
【請求項１７】
前記機能ボタンに割り当てられている機能は、マナーモード機能のＯＮ又はＯＦＦである請求項１０から１６のいずれかに記載の携帯端末装置の機能設定方法。
【請求項１８】
前記機能ボタンに割り当てられている機能は、前記表示部のバックライトの輝度である請求項１０から１７のいずれかに記載の携帯端末装置の機能設定方法。
【請求項１９】
予め定められた機能が割り当てられた機能ボタンを表示部に表示する表示ステップと、
前記機能ボタンが選択された状態で一定時間以上の時間が経過すると、前記機能ボタンに割り当てられている機能の実行を行う機能実行ステップと、
を順にコンピュータに実行させる携帯端末装置の機能設定プログラム。
【請求項２０】
前記機能実行ステップにおいて、
前記機能ボタンを前記表示部に表示する機能ボタン表示命令がショートカット機能を用いて出力されたか否かを判定し、
ショートカット機能を用いて出力された場合は、前記機能ボタンが選択された状態で一定時間以上の時間が経過すると、前記機能ボタンに割り当てられている機能の実行を行い、
ショートカット機能を用いずに出力された場合は、前記機能ボタンが選択された状態で一定時間以上の時間が経過しても、前記機能ボタンに割り当てられている機能の実行を行わない
請求項１９に記載の携帯端末装置の機能設定プログラム。
【請求項２１】
前記表示ステップにおいて、デスクトップ画面に表示されかつ前記機能ボタン表示命令の出力機能が割り当てられた表示用アイコンがクリックされると前記機能ボタンを前記表示部に表示し、
前記機能実行ステップにおいて、前記表示用アイコンがクリックされたことをもって、前記機能ボタン表示命令がショートカット機能を用いて出力されたと判定する請求項２０に記載の携帯端末装置の機能設定プログラム。
【請求項２２】
前記表示ステップにおいて、前記機能ボタン表示命令の出力機能が割り当てられた表示用キーが押下されると前記機能ボタンを前記表示部に表示し、
前記機能実行ステップにおいて、前記表示用キーが押下されたことをもって、前記機能ボタン表示命令がショートカット機能を用いて出力されたと判定する請求項２０又は２１に記載の携帯端末装置の機能設定プログラム。
【請求項２３】
前記機能実行ステップにおいて、前記機能ボタンに予め関連付けられた切り替えキーが押下される度に、前記機能ボタンに割り当てられている機能を変化させる請求項１９から２２のいずれかに記載の携帯端末装置の機能設定プログラム。
【請求項２４】
前記機能実行ステップにおいて、前記機能ボタンに予め関連付けられた確定キーが一定時間以上の間継続して押下されると、前記機能ボタンに割り当てられている機能の実行を行う請求項１９から２３のいずれかに記載の携帯端末装置の機能設定プログラム。
【請求項２５】
前記機能ボタンに割り当てられている機能は、前記表示部の覗き見防止機能のＯＮ又はＯＦＦである請求項１９から２４のいずれかに記載の携帯端末装置の機能設定プログラム。
【請求項２６】
前記機能ボタンに割り当てられている機能は、マナーモード機能のＯＮ又はＯＦＦである請求項１９から２５のいずれかに記載の携帯端末装置の機能設定プログラム。
【請求項２７】
前記機能ボタンに割り当てられている機能は、前記表示部のバックライトの輝度である請求項１９から２６のいずれかに記載の携帯端末装置の機能設定プログラム。
【発明の詳細な説明】
【技術分野】
【０００１】
本発明は、機能が設定可能な携帯端末装置及び携帯端末装置の機能設定方法に関する。
【背景技術】
【０００２】
機能の設定が可能な携帯端末装置が提案されている（例えば、特許文献１及び２参照。）
特許文献１に記載された携帯端末装置は、主表示部と、カーソルキーと、決定キーと、を備え、以下のように動作する。主表示部は、バイブレータ設定通知アイコンを表示する。カーソルキーが主表示部に表示されたバイブレータ設定通知アイコンを選択すると、主表示部はバイブレータ設定メニューを表示する。カーソルキーが主表示部に表示されたバイブレータ設定メニューのうちの設定内容を選択する。決定キーは、選択された設定内容を決定する。これにより、機能設定メニューを呼び出して、機能設定を行う。
【０００３】
特許文献２に記載された携帯端末装置は、表示装置と、タッチパッドと、を備え、以下のように動作する。表示装置は操作画面を表示する。タッチパッドに指が触れているとき、タッチパッドは操作画面に表示されている機能を選択する。タッチパッドに指が触れた状態から触れない状態に遷移したとき、操作画面上で選択されている機能を実行する。これにより、機能を選択し実行する操作性を向上している。
【先行技術文献】
【特許文献】
【０００４】
【特許文献１】特開２００３−２９８７１５号公報
【特許文献２】特開２００４−３３４３１５号公報
【発明の概要】
【発明が解決しようとする課題】
【０００５】
携帯端末装置の機能のＯＮ／ＯＦＦ又は設定を速やかに変更したい場合がある。このような場合に対応するため、ショートカット機能が備わっている。ショートカット機能を有する携帯端末装置において、ショートカットに設定した機能に設定値を有する場合、２通りの実装方法がある。一つは機能設定メニューへのショートカットとする方法、もう一つは機能設定メニューで設定した設定値の状態で、機能のＯＮ／ＯＦＦを行うためのショートカットである。
【０００６】
これらの方法には、それぞれ課題がある。前者の方法では、機能ＯＮ／ＯＦＦを行うために、必ず機能設定メニューの操作が必要であり、機能実行までの手間がかかってしまう。後者の場合、現在設定されている設定値を変更したい場合、該当機能の設定を行うページまでメニューをたどらなければならず、やはり手間がかかってしまう。
【０００７】
特許文献１及び特許文献２に記載された携帯端末装置についても同様であり、携帯端末装置の機能のＯＮ／ＯＦＦ又は設定を行う際、目的の機能設定メニューにたどり着くまでに手間がかかってしまう。
【０００８】
上記のように、携帯端末装置の機能のＯＮ／ＯＦＦ又は設定の変更は手間がかかってしまうため、携帯端末装置の機能のＯＮ／ＯＦＦ又は設定を早急に変更したい場合に対応することが困難だった。
【０００９】
そこで、本発明は、携帯端末装置の機能のＯＮ／ＯＦＦ又は設定を少ない動作で変更する携帯端末装置、携帯端末装置の機能設定方法及び携帯端末装置の機能設定プログラムの提供を目的とする。
【課題を解決するための手段】
【００１０】
本願発明に係る携帯端末装置は、予め定められた機能が割り当てられた機能ボタンを表示する表示部と、前記機能ボタンが選択された状態で一定時間以上の時間が経過すると、前記機能ボタンに割り当てられている機能の実行を行う制御部と、を備える。
【００１１】
本願発明に係る携帯端末装置の機能設定方法は、予め定められた機能が割り当てられた機能ボタンを表示する表示手順と、前記機能ボタンが選択された状態で一定時間以上の時間が経過すると、前記機能ボタンに割り当てられている機能の実行を行う機能実行手順と、を順に有する。
【００１２】
本願発明に係る携帯端末装置の機能設定プログラムは、予め定められた機能が割り当てられた機能ボタンを表示部に表示する表示ステップと、前記機能ボタンが選択された状態で一定時間以上の時間が経過すると、前記機能ボタンに割り当てられている機能の実行を行う機能実行ステップと、を順にコンピュータに実行させる。
【００１３】
なお、上記各発明は、可能な限り組み合わせることができる。
【発明の効果】
【００１４】
本発明によれば、携帯端末装置の機能のＯＮ／ＯＦＦ又は設定を少ない動作で変更する携帯端末装置、携帯端末装置の機能設定方法及び携帯端末装置の機能設定プログラムを提供することができる。
【図面の簡単な説明】
【００１５】
【図１】実施形態１に係る携帯端末装置の一例を示す。
【図２】実施形態１に係る携帯端末装置の機能設定方法の一例を示す。
【図３】実施形態１に係る携帯端末装置の機能設定プログラムの一例を示す。
【図４】実施形態２に係る携帯端末装置の一例を示す。
【図５】実施形態３に係る携帯端末装置の一例を示す。
【図６】専用の機能設定メニュー制御を説明するフローチャートである。
【図７】専用の機能設定メニューを使用する際の状態遷移図であり、（ａ）は設定値ａの画面を示し、（ｂ）は機能ボタンを表示した画面を示し、（ｃ）は設定値ｂを確定する画面を示し、（ｄ）は設定値ｂの画面を示す。
【図８】専用の機能設定メニュー内の操作を示す状態遷移図であり、（ａ）は設定値ａを選択した画面を示し、（ｂ）は設定値ｂを選択した画面を示す。
【発明を実施するための形態】
【００１６】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００１７】
（実施形態１）
図１に、本発明の実施形態に係る携帯端末装置の一例を示す。本発明の実施形態に係る携帯端末装置１０１は、表示部３と、制御部４と、を備える。表示部３は、予め定められた機能が割り当てられた機能ボタン３１を表示する。制御部４は、機能ボタン３１が選択された状態で一定時間以上の時間が経過すると、機能ボタン３１に割り当てられている機能の実行を行う。機能ボタン３１を選択すれば、機能ボタン３１に割り当てられている機能を自動的に実行することができる。このため、携帯端末装置１０１は、携帯端末装置の機能のＯＮ／ＯＦＦ又は設定を少ない動作で変更することができる。
【００１８】
携帯端末装置１０１は、本発明の実施形態に係る携帯端末装置の機能設定方法を実行する。図２に、本実施形態に係る携帯端末装置の機能設定方法の一例を示す。本発明の実施形態に係る携帯端末装置の機能設定方法は、表示手順Ｓ１１１と、機能実行手順Ｓ１１２と、を順に有する。
【００１９】
表示手順Ｓ１１１では、予め定められた機能が割り当てられた機能ボタン３１を表示する。機能実行手順Ｓ１１２では、機能ボタン３１が選択された状態で一定時間以上の時間が経過すると、機能ボタン３１に割り当てられている機能の実行を行う。機能ボタン３１を選択すれば、機能ボタン３１に割り当てられている機能を自動的に実行することができる。このため、本発明の実施形態に係る携帯端末装置の機能設定方法を実行することで、携帯端末装置の機能のＯＮ／ＯＦＦ又は設定を少ない動作で変更することができる。
【００２０】
ここで、一定時間は限定しないが、例えば３秒とすることができる。一定時間は、機能ボタン３１に割り当てられている機能に応じて設定してもよい。
【００２１】
機能ボタン３１に割り当てられている機能は、例えば、表示部３の覗き見防止機能のＯＮ又はＯＦＦである。表示部３に表示された写真を複数人に同時に見せたいときに、すぐに表示部３の覗き見防止機能をＯＦＦにすることができる。
【００２２】
機能ボタン３１に割り当てられている機能は、例えば、マナーモード機能のＯＮ又はＯＦＦである。電車やバスに乗るときに、すぐにマナーモードにすることができる。
【００２３】
機能ボタン３１に割り当てられている機能は、例えば、表示部３のバックライトの輝度である。バッテリの残量が少なくなったときに、すぐにバッテリの消費を抑えることができる。
【００２４】
なお、携帯端末装置１０１は、本実施形態に係る携帯端末装置の機能設定プログラムをコンピュータに実行させることで実現してもよい。図３に、本実施形態に係る携帯端末装置の機能設定プログラムの一例を示す。本実施形態に係る携帯端末装置の機能設定プログラムは、表示ステップＳ２１１と、機能実行ステップＳ２１２と、を順にコンピュータに実行させる。
【００２５】
表示ステップＳ２１１では、予め定められた機能が割り当てられた機能ボタン３１を表示部３に表示する。機能実行ステップＳ２１２では、機能ボタン３１が選択された状態で一定時間以上の時間が経過すると、機能ボタン３１に割り当てられている機能の実行を行う。これにより、コンピュータを用いて携帯端末装置１０１を実現することができる。
【００２６】
（実施形態２）
図４に、本実施形態に係る携帯端末装置の一例を示す。本発明の実施形態に係る携帯端末装置１０２は、図１に示す携帯端末装置１０１に、さらに操作部７を備えると共に、表示部３及び制御部４が新たな機能を有する。
【００２７】
制御部４は、機能ボタン３１を表示部３に表示する機能ボタン表示命令がショートカット機能を用いて出力されたか否かを判定する。そして、ショートカット機能を用いて機能ボタン表示命令が出力された場合は、機能ボタン３１が選択された状態で一定時間以上の時間が経過すると、機能ボタン３１に割り当てられている機能の実行を行う。一方、ショートカット機能を用いずに機能ボタン表示命令が出力された場合は、機能ボタン３１が選択された状態で一定時間以上の時間が経過しても、機能ボタン３１に割り当てられている機能の実行を行わない。これにより、携帯端末装置１０２の機能のＯＮ／ＯＦＦ又は設定が安易に変更されるのを防ぐことができる。
【００２８】
この場合、図２に示す機能実行手順Ｓ１１２において、機能ボタン３１を表示部３に表示する機能ボタン表示命令がショートカット機能を用いて出力されたか否かを判定する。そして、機能ボタン表示命令がショートカット機能を用いて出力された場合は、機能ボタン３１が選択された状態で一定時間以上の時間が経過すると、機能ボタン３１に割り当てられている機能の実行を行う。一方、機能ボタン表示命令がショートカット機能を用いずに出力された場合は、機能ボタン３１が選択された状態で一定時間以上の時間が経過しても、機能ボタン３１に割り当てられている機能の実行を行わない。これにより、携帯端末装置１０２の機能のＯＮ／ＯＦＦ又は設定が安易に変更されるのを防ぐことができる。
【００２９】
機能ボタン３１を表示部３に表示する機能ボタン表示命令は、通常の機能を用いて出力される場合と、ショートカット機能を用いて出力される場合とがある。通常の機能を用いて出力される場合は、例えば、携帯端末装置１０２全体での機能設定メニューから選択していく。ショートカット機能を用いて出力される場合は、例えば、表示用アイコン３２を表示部３のデスクトップ画面に表示する場合と、操作部７が表示用キー７１を備える場合がある。
【００３０】
表示用アイコン３２を表示部３のデスクトップ画面に表示する場合、表示用アイコン３２には機能ボタン３１の表示を命令する機能ボタン表示命令の出力機能が割り当てられる。この場合、制御部４は、表示用アイコン３２がクリックされると機能ボタン３１を表示部３に表示する。そして、制御部４は、表示用アイコン３２がクリックされたことをもって、機能ボタン表示命令がショートカット機能を用いて出力されたと判定する。
【００３１】
この場合、図２に示す表示手順Ｓ１１１において、デスクトップ画面に表示されかつ機能ボタン表示命令の出力機能が割り当てられた表示用アイコン３２がクリックされると機能ボタン３１を表示部３に表示する。そして、機能実行手順Ｓ１１２において、表示用アイコン３２がクリックされたことをもって、機能ボタン表示命令がショートカット機能を用いて出力されたと判定する。
【００３２】
操作部７が表示用キー７１を備える場合、表示用キー７１には、機能ボタン３１の表示を命令する機能ボタン表示命令の出力機能が割り当てられる。この場合、制御部４は、表示用キー７１が押下されると機能ボタン３１を表示部３に表示する。そして、制御部４は、表示用キー７１が押下されたことをもって、機能ボタン表示命令がショートカット機能を用いて出力されたと判定する。
【００３３】
この場合、図２に示す表示手順Ｓ１１１において、機能ボタン表示命令の出力機能が割り当てられた表示用キー７１が押下されると機能ボタン３１を表示部３に表示する。一方、機能実行手順Ｓ１１２において、表示用キー７１が押下されたことをもって、機能ボタン表示命令がショートカット機能を用いて出力されたと判定する。
【００３４】
機能ボタン３１は、予め定められた切り替えキー７２と関連付けられていてもよい。この場合、制御部４は、切り替えキー７２が押下される度に、機能ボタン３１に割り当てられている機能を変化させる。
【００３５】
この場合、図２に示す機能実行手順Ｓ１１２において、機能ボタン３１に予め関連付けられた切り替えキー７２が押下される度に、機能ボタン３１に割り当てられている機能を変化させる。
【００３６】
機能ボタン３１は、予め定められた確定キー７３と関連付けられていてもよい。この場合、制御部４は、確定キー７３が一定時間以上の間継続して押下されると、機能ボタンに割り当てられている機能の実行を行う。
【００３７】
この場合、図２に示す機能実行手順Ｓ１１２において、機能ボタン３１に予め関連付けられた確定キー７３が一定時間以上の間継続して押下されると、機能ボタン３１に割り当てられている機能の実行を行う。
【００３８】
なお、携帯端末装置１０２は、本実施形態に係る携帯端末装置の機能設定プログラムをコンピュータに実行させることで実現してもよい。この場合、図３に示す携帯端末装置の機能設定プログラムは、以下のステップを実行する。これにより、コンピュータを用いて携帯端末装置１０２を実現することができる。
【００３９】
図３に示す機能実行ステップＳ２１２において、機能ボタン３１を表示部３に表示する機能ボタン表示命令がショートカット機能を用いて出力されたか否かを判定する。そして、機能ボタン表示命令がショートカット機能を用いて出力された場合は、機能ボタン３１が選択された状態で一定時間以上の時間が経過すると、機能ボタン３１に割り当てられている機能の実行を行う。機能ボタン表示命令がショートカット機能を用いずに出力された場合は、機能ボタン３１が選択された状態で一定時間以上の時間が経過しても、機能ボタン３１に割り当てられている機能の実行を行わない。
【００４０】
図３に示す表示ステップＳ２１１において、デスクトップ画面に表示されかつ機能ボタン表示命令の出力機能が割り当てられた表示用アイコン３２がクリックされると機能ボタン３１を表示部３に表示する。そして、機能実行ステップＳ２１２において、表示用アイコン３２がクリックされたことをもって、機能ボタン表示命令がショートカット機能を用いて出力されたと判定する。
【００４１】
図３に示す表示ステップＳ２１１において、機能ボタン表示命令の出力機能が割り当てられた表示用キー７１が押下されると機能ボタン３１を表示部３に表示する。そして、機能実行ステップＳ２１２において、表示用キー７１が押下されたことをもって、機能ボタン表示命令がショートカット機能を用いて出力されたと判定する。
【００４２】
図３に示す機能実行ステップＳ２１２において、機能ボタン３１に予め関連付けられた切り替えキー７２が押下される度に、機能ボタン３１に割り当てられている機能を変化させる。
【００４３】
図３に示す機能実行ステップＳ２１２において、機能ボタン３１に予め関連付けられた確定キー７３が一定時間以上の間継続して押下されると、機能ボタン３１に割り当てられている機能の実行を行う。
【００４４】
（実施形態３）
図５に、本実施形態に係る携帯端末装置の一例を示す。携帯端末装置１０３は、アンテナ部１と、送受信部２と、表示部３と、制御部４と、メモリ５と、カメラ６と、操作部７と、スピーカ８と、マイク９と、レシーバ１０と、を備える。
【００４５】
アンテナ部１は無線信号の送受信を行う。アンテナ部１は、入力無線信号及び出力無線信号の変復調を行う。レシーバ１０は、携帯端末装置１０３の受話部として機能する。マイク９は、携帯端末装置１０３の送話部として機能する。
【００４６】
メモリ５は、携帯端末装置１０３の設定を行うための情報や通信を行うための各種情報を格納する。カメラ６は、外部の情報を携帯端末装置１０３に取り込む。スピーカ８は、着信やアラーム、音声などを鳴動させる。
【００４７】
表示部３は、携帯端末装置１０３の設定を行うための情報や通信を行うための各種情報（例えば、電話番号、時計、サービス圏内／圏外、電話帳表示、スケジュール表示、カレンダー表示、現在のモード等）の表示を行う。また、特定の機能を実行するための、ショートカット機能を有するアイコンの貼り付けも可能である。
【００４８】
操作部７は、複数のキーボタンからの入力を認識し、制御部４に伝達する回路である。制御部４は、操作部７のキーボタンを短く押下された場合（以下、短押し）と長く押下された場合（以下、長押し）の識別を可能とする。ここで、長押しとは、例えば、１秒以上キーボタンを押下した場合である。
【００４９】
制御部４は、アンテナ部１、送受信部２、表示部３、メモリ５、カメラ６、操作部７、スピーカ８、マイク９及びレシーバ１０の機能動作を制御する。
【００５０】
制御部４は、携帯端末装置１０３の任意の機能のＯＮ／ＯＦＦ又は設定値を変更する。携帯端末装置１０３の機能は、例えば、覗き見防止機能の設定やマナーモードの設定、表示部のバックライト輝度設定などが該当する。
【００５１】
制御部４は、通常のメニューから機能設定メニューを表示することもできるし、ショートカット機能を用いて表示された専用の機能設定メニューを表示することもできる。通常のメニューから表示した機能設定メニューと専用の機能設定とは、同一であってもよいし、異なっていてもよい。
【００５２】
図６は、専用の機能設定の制御を説明するフローチャートである。開始時点では、図７（ａ）に示すように、表示部３は、デスクトップ画面に、機能Ａの機能ボタン３１を表示する表示用アイコン３２を表示する。
【００５３】
手順ＳＴ１では、「機能Ａ」と表示されている表示用アイコン３２をクリックする。このとき、手順ＳＴ２を実行する。手順ＳＴ２では、起動元確認を行う。例えば、通常のメニューからの起動であるか、ショートカットからの起動かの判定を行う。デスクトップ等からのショートカットからの起動の場合は手順ＳＴ３へ遷移し、通常のメニューからの起動の場合は手順ＳＴ６へ遷移する。
【００５４】
手順ＳＴ３では、機能Ａ専用の機能設定メニューを起動させて表示する。例えば、図７（ｂ）に示す機能ボタン３１を表示する。
【００５５】
手順ＳＴ３と同時に手順ＳＴ４を実行する。手順ＳＴ４では、タイマーを起動し、予め定められた特定時間を計る。予め定められた特定時間内に手順ＳＴ５を実行する。手順ＳＴ５では、操作部７に備わるキーの押下を監視する。特定時間キー押下がない場合、手順ＳＴ８へ遷移する。
【００５６】
手順ＳＴ６では、機能Ａの通常の機能設定メニューを起動させて表示する。手順ＳＴ７では、操作部７による設定操作にて設定値を選択する。手順ＳＴ７において、設定値ｂの選択があった場合は手順ＳＴ８へ遷移する。
【００５７】
手順ＳＴ８では、機能設定メニューのフォーカスされた設定値で選択項目を確定する。
【００５８】
次に、前述のフローに従った携帯端末装置の状態遷移について説明する。図７では、理解が容易なように、「機能Ａ」が画面の壁紙設定機能であり、設定値ａが笑顔、設定値ｂが怒った顔である例について説明する。
【００５９】
図７（ａ）は、機能Ａが設定値ａとなっている状態を示す。デスクトップ画面上には、機能Ａへショートカットのための表示用アイコン３２が配置されている。デスクトップ画面上の機能Ａのショートカットアイコンを選択してクリックする。すると、ショートカットからの起動であるため、専用の機能設定メニューを起動する。これにより、図７（ｂ）に示す専用の機能設定メニューが表示される。専用の機能設定メニューには、機能ボタン３１が表示される。
【００６０】
ここで、専用の機能設定メニューの操作について図８を参照して説明する。専用の機能設定メニューが表示されたときの設定状態によって、図８（ａ）に示す機能ボタン３１ａが選択された状態又は図８（ｂ）に示す機能ボタン３１ｂが選択された状態を表示する。図７（ｂ）では、機能Ａ（設定値ａ）の状態であるため、図８（ａ）に示すように、機能ボタン３１ａが選択された状態を表示する。この時点で、キー操作を行わなければ（ここでは、一例として１秒以上として説明する）、このままの設定状態（設定値ａ）のまま、機能Ａが実行される。これにより、図７（ａ）の画面表示に戻る。
【００６１】
設定値を変更したい場合、操作部７に備わるキーを押下することによってカーソルを移動し、図８（ｂ）の状態に遷移させる。操作部７に備わるキーは、カーソルキーであってもよいし、予め定められた切り替えキーであってもよい。選択に使用したキー（選択キーや機能が割付けられた特定キーなど）または、選択を行うためのキー（方向キーなど）を操作し、設定値を選択する。単一キーで操作する場合は、１回押下するごとにカーソルを１つ移動させ設定値を選択する。これにより、図８（ａ）又は図８（ｂ）に示すように、設定値ａ又は設定値ｂを選択する。
【００６２】
変更したい設定値ｂにカーソルが移動した時点で操作をやめ、キー操作を行わなければ、その設定値を設定値ｂに変更し、機能Ａを実行する。これにより、図７（ｄ）の画面表示に変化する。選択項目を確定する際、図７（ｃ）に示すように、設定変更と機能Ａ実行をユーザに通知してもよい。この場合、通知完了後に、機能Ａ（設定値ｂ）を実行する。
【００６３】
設定値を確定する方法として、単一キー操作の場合は、操作を行わない時間が一定時間以上の場合、その選択項目を確定する。複数キーによる選択の場合でも、同様に操作を行わない時間が一定時間以上の場合、その選択項目に確定する。
【００６４】
このように、無操作で選択を確定することにより、従来ＯＮ／ＯＦＦの機能と同じ操作を実現する。つまり、設定を行わず機能のＯＮ／ＯＦＦを行いたい場合、デスクトップアイコンを選択して表示させれば、機能のＯＮ／ＯＦＦのほか設定の変更を行うことができる。これにより、簡単に、設定値変更と機能実行（機能ＯＮ／ＯＦＦ）の実現により、ユーザの利用シーンを広げることができる。さらに、電話番号の入力などを行う操作キーへの機能割付けや特定機能を割付けた専用キーへの応用も可能であり、利便性を向上した機能設定方法を提供することができる。
【００６５】
また、表示用キー又は切り替えキー又は確定キーのように、単一のキーに予め機能を割り当てることで、筐体サイド等に設置されるキーによる操作が可能となる。これにより、携帯端末装置の形状変更により、操作部が極端に減少する（例えば、折畳み型やスライド型のように操作部が隠れてしまう）場合であっても、機能のＯＮ／ＯＦＦのほか設定の変更を簡単に行うことができる。
【産業上の利用可能性】
【００６６】
本発明は、情報通信産業に適用することができる。
【符号の説明】
【００６７】
１：アンテナ部
２：送受信部
３：表示部
４：制御部
５：メモリ
６：カメラ
７：操作部
８：スピーカ
９：マイク
１０：レシーバ
３１、３１ａ、３１ｂ：機能ボタン
３２：表示用アイコン
７１：表示用キー
７２：切り替えキー
７３：確定キー
１０１、１０２、１０３：携帯端末装置
【図１】
2011119935.tif 000003
【図２】
2011119935.tif 000004
【図３】
2011119935.tif 000005
【図４】
2011119935.tif 000006
【図５】
2011119935.tif 000007
【図６】
2011119935.tif 000008
【図７】
2011119935.tif 000009
【図８】
2011119935.tif 000010